(57)【特許請求の範囲】
【請求項１】
石油燃焼器の枠体１の底板２は横長形状に形成されており、この横長形状の底板２の底面もしくは端縁に位置して補強レール３を枠体１の長手方向に配置し、この補強レール３の下面はレール面を構成すると共に、
該補強レール３の端に車輪４を取付け、前記補強レール３の下面のレール面は、前記枠体１が長手方向に移動時に先行側の車輪４が段差を越えてからこの段差のコーナ部と当接しており、
前記レール面が枠体１の重量を支えながら、段差のコーナ部上を滑って枠体１が移動することを特徴とする移動式大形石油燃焼器。
【請求項２】
前記枠体１の短手方向に向けて前記補強レール３の端には取付板を配置し、前記車輪４はこの取付板５の両端に取付け、該車輪４と取付板５との間に回転台４ａを設けてなる請求項１記載の移動式大形燃焼器。
【請求項３】
前記枠体１が長手方向へ段差を越えて下り移動するときの後部側の車輪４は、その車輪４の外端が移動時の枠体１の後部側面よりも外方に位置させられており、前記段差を後部側の車輪４が乗り越えたときに前記枠体１が段差に突き当たらないことを特徴とする請求項１又は２に記載の移動式大形燃焼器。
【発明の詳細な説明】
【０００１】
【産業上の利用分野】
この発明は大きな重量を持つ暖房機等の大形石油燃焼器の移動に適する構造に関する。
【０００２】
【従来の技術】
一般に石油燃焼器はある特定の場所に固定して使用されるものであり、小形の可搬タイプであっても使用時は固定されており、枠体にさげ手や把手を取付け、取扱者は石油燃焼器を持ち上げて移動している。
【０００３】
一方、大きな重量の石油燃焼器は台車等に載せて運び、特に本体には移動のための装置を備えていない。そして、このような大形の石油燃焼器は、今まで室外排気が必要であったから、設置業者が台車に載せた石油燃焼器を下ろし、排気筒が設置できる場所に石油燃焼器を据付けて、以後は全く移動しない使い方が一般的である。しかし、取扱者は石油燃焼器を据付けた室内で石油燃焼器の向きを変えたい場合があるが、従来の室外排気タイプでは排気筒があるためにこのような要求に対応できないものであった。
【０００４】
ところで、近年石油燃焼器の改良によって排気ガスがきれいになっており、一部の大形の石油燃焼器でも広い室内で使う時には排気を室外に放出しなくとも良いものが製造されている。このような石油燃焼器では小さなキャスターをつけて、取扱者が必要に応じて少しばかりの移動ができる様にしたものがある。
【０００５】
【発明が解決しようとする課題】
大形の石油燃焼器でも脚の代わりに車輪を取付けることによって移動自在となると考えられるが、実際に移動できるのは同じ平面となる床面内の移動であり、段差のある床面を含んで移動させることは困難であった。また、この段差のある床面を移動する機能が実現できない時には、人力では隣の建物への移動等は全くできなくなるものであり、また、移動のために床面より高い位置となる台車や各種車両に載せることも、特別のリフト等を使用せねばならず、人力での移動は非常に困難であった。
【０００６】
【課題を解決するための手段】
上記目的を達成するために、この発明は石油燃焼器の枠体１の底板２は横長形状に形成されており、この横長形状の底板２の底面もしくは端縁に位置して補強レール３を枠体１の長手方向に配置し、この補強レール３の下面はレール面を構成すると共に、該補強レール３の端に車輪４を取付け、前記補強レール３の下面のレール面は、前記枠体１が長手方向に移動時に先行側の車輪４が段差を越えてからこの段差のコーナ部と当接しており、前記レール面が枠体１の重量を支えながら、段差のコーナ部上を滑って枠体１が移動できる様にしたものである。
【０００７】
また、前記枠体１の短手方向に向けて前記補強レール３の端には取付板を配置し、前記車輪４はこの取付板５の両端に取付け、該車輪４と取付板５との間に回転台４ａを設けており、前記枠体１が長手方向へ段差を越えて下り移動するときの後部側の車輪４は、その車輪４の外端が移動時の枠体１の後部側面よりも外方に位置させられており、前記段差を後部側の車輪４が乗り越えたときに前記枠体１が段差に突き当たらないようにしている。
【０００８】
【作用】
暖房用の大形石油燃焼器の重量は５０ｋｇ以上の重量があり、単純には人力で動かすことができなかった。この発明は本格的に人力によって石油燃焼器の枠体を移動可能にするもので、最も人力移動が苦手とする段差のある床面の場合、枠体１を底板２の長手方向に沿って移動させるものである。
【０００９】
枠体１の片側を持ち上げる時は総重量の半分ですむから大型石油燃焼器でも人力持ち上げ可能の範囲であり、枠体１の片側の車輪４を持ち上げて上の段に載せ、この状態で枠体１を押すと、段差のコーナ部が枠体１の底板２の補強レール３と衝突する。更に強く枠体１を押すと、コーナ部が補強レール３の上を滑って後部の車輪４付近に至るので、枠体１の後部側の片側を持ち上げて車輪４を上の段に載せることによって、段差を超えた移動が可能となった。
【００１０】
一方、床面の段差を下りる方向への移動は、枠体１を底板２の長手方向に押すと、前方の車輪４が段差を越えた時に枠体１は後部車輪４を中心に前方へ回転する。この回転力は補強レール３と段差のコーナ部が衝突することによって枠体１が少し傾いた状態で止まり、更に、強く枠体１を押すとコーナ部が補強レール３の上を滑って移動し、後部の車輪４付近になると、前・後部の車輪４で移動しながら、後部の車輪４が段差を越えた時に枠体１は下の段に落下移動できるものである。この時、車輪４の外端が枠体１の側面よりも外方に位置しているから、枠体１の後部が下の段に落下する時に枠体１が床面の段差に衝突しなくなったものである。
【００１１】
【実施例】
以下、実施例を示す図により構成を説明すると、１は石油燃焼器の枠体、６は枠体１内に取付けた圧力噴霧ポット式バーナ、７は圧力噴霧ポット式バーナ６に連続する燃焼室、８は燃焼室７を出た燃焼ガスが通過する放熱器、９は枠体１の適所に取付ける排気口であり、図１では枠体１の天板に取付けている。１０は圧力噴霧ポット式バーナ６を構成する内部に助燃材を取付けたポット、１１は加圧燃料を供給する電磁ポンプ、１２は点火用の放電火花を発生させる点火装置、１３は燃焼空気を供給する送風機であり、ポット１０の外側へ送風機１３によって燃焼空気を供給し、ポット１０の内部に霧状燃料を送り、点火装置１２による放電火花によって点火・燃焼を開始する。
【００１２】
該圧力噴霧ポット式バーナ６は１５０００Ｋｃａｌ以上の発熱量を得ることができるバーナにもかかわらず、内装する助燃材と、側壁にあけた多数の小孔を有するポット１０の働きで、点火時に煤や多量の不完全燃焼ガスが発生しないバーナであり、広い室内であれば室外排気は不用であり、排気筒が無いために特定の場所に固定して使う必要はない。
【００１３】
１４は枠体１の前面の下部に位置した前面パネル、１５は放熱器８の背面に設けた反射板、１６は枠体１の前面に設けた前面ガードであり、放熱器８から発生した熱線は前面ガード１６を通って前方に放射され、輻射による暖房を行なっている。。
【００１４】
２は略長方形に形成する枠体１の底板、３は底板２の長手方向で底板２の底面もしくは側端縁に取付けた補強レール、４補強レール３の端に取付けた車輪であり、該車輪は直接補強レール３の端に取付けたり、車輪４用の取付板５を設けて、該取付板５を介して補強レール３の端に取付けてもよい。１７は床面のコーナ部に載置するコーナ補強板であり、床面の素材が固い時には不要であり、柔らかい素材の時に使用する。
【００１５】
この発明は上記の構造であるから、枠体１の底板２に設けた補強レール３が段差のコーナ部と当接し、枠体１の重量を支えることができ、補強レール３によって枠体１を滑らせることによって、石油燃焼器は床面の段差の部分も移動できるようになった。
【００１６】
また、車輪４は補強レール３の端に取付け、車輪４の外端が枠体１の側面よりも外方に位置させており、床面の段差を通過して下りる時、車輪４が段差を通過する前にすでに枠体１は段差を通過しており、下の段に枠体１が落下した時に車輪４の働きで段差と枠体１とが接触して傷や打痕を付けず、安全に移動できるものである。
【００１７】
４ａは車輪４の取付板５と車輪４との間に設けた回転台であり、枠体１を移動しない時には車輪４の外端を枠体１の下部に収納することができるようにしており、限られた空間に石油燃焼器を収納する時に便利である。
【００１８】
取付板５を使って車輪４を補強レール３の端に取付ける時、取付板５の端に車輪４を取付ければ石油燃焼器の枠体１は前後の安定が良くなるものである。この為、段差を下りる移動時の落下の衝撃が強い時には、枠体が前・後に倒れる恐れがあるが、該取付板５の端に車輪を付けることによって、石油燃焼器の移動時の転倒をさけることができた。
【００１９】
【発明の効果】
従来この種の大形の石油燃焼器は重いために移動は極めて困難であり、特定の場所に固定して使用する事例がほとんどであったが、この発明はこのような大形の石油燃焼器を初めて任意の場所に移動して使用できるようにしたもので、非常に使い勝手が良くなったものである。
【００２０】
また、枠体１の底板２を略長方形に形成するものは、特に床面の段差の部分を移動する時に前後に倒れやすくなるが、車輪４は取付板５の両端に取付けたから移動時の転倒はほとんど起きなくなったものである。
【００２１】
更に、車輪４を取付けるに当り回転台４ａを設けたから、移動時に枠体１の側面よりも外方に位置する車輪４が、不使用時に枠体１の下部に収納できるようになり、石油燃焼器を倉庫などの狭い空間で保管する時には収納スペースが少なくなって最適である。
【図面の簡単な説明】
【図１】この発明の実施例を示す大形石油燃焼器の断面図であり、床面の段差を移動中である。
【図２】図１に示す実施例の縦断面図である。
【図３】図１・図２に示す実施例である大形石油燃焼器の要部側面図である。
【符号の説明】
１    枠体
２    底板
３    補強レール
４    車輪
４ａ  回転台
５    取付板
【図１】
0003876930.tif 000002
【図２】
0003876930.tif 000003
【図３】
0003876930.tif 000004